(57)【特許請求の範囲】
【請求項１】
長尺状の光源ユニットであって、
長尺状の基板と、
前記基板の長手方向に沿って前記基板に実装された複数の光源と、
前記複数の光源に対向し、前記複数の光源から発せられた光を拡散する長尺な光拡散部と、
前記光拡散部を介して前記複数の光源に対向し、前記光拡散部で拡散された光を透過する長尺な光透過部と、
前記光透過部を保持する保持部とを備え、
前記保持部は、
前記複数の光源の光軸を前記基板の短手方向で互い挟んだ状態で、前記光透過部を保持する一対の側壁部と、
前記一対の側壁部における前記光源に遠い側の先端部同士に架け渡され、透光性を有する底部と、
を備え、
前記一対の側壁部のそれぞれは、前記光軸に向かって突出したくびれ部を有し、
前記くびれ部のそれぞれは、第一傾斜部と、前記第一傾斜部における前記光源に遠い側の先端部に、前記光源に近い側の基端部が連結された第二傾斜部とを備え、
前記第一傾斜部は、前記複数の光源から光軸方向で離れるに連れて光軸に近づくように傾斜しており、
前記第二傾斜部は、前記複数の光源から光軸方向で離れるに連れて光軸から離れるように傾斜しており、
前記第二傾斜部の面積は、前記第一傾斜部の面積よりも大きく、
前記底部は、上面に前記光透過部が載置されているとともに、前記光拡散部よりも光透過率が高く、
前記光透過部は、前記光拡散部よりも光透過率が高い
光源ユニット。
【請求項２】
前記くびれ部における頂点は、前記一対の側壁部における前記光軸に沿う長さの１／２の位置よりも、前記光源側に配置されている
請求項１に記載の光源ユニット。
【請求項３】
前記保持部は、
さらに、
前記一対の側壁部における前記光源に近い側の基端部および前記光拡散部を連結する一対の連結部を備え、
前記一対の側壁部、前記光拡散部、前記底部および前記一対の連結部は、一体成形されている
請求項１または２に記載の光源ユニット。
【請求項４】
前記一対の側壁部、前記光拡散部、前記底部および前記一対の連結部のうち、前記底部が最も光透過率が高く、前記一対の連結部が最も光透過率が低い
請求項３に記載の光源ユニット。
【請求項５】
前記一対の側壁部における前記光源に近い側の基端部同士の幅は、前記一対の側壁部における前記光源に遠い側の先端部同士の幅よりも広い
請求項４に記載の光源ユニット。
【請求項６】
前記光拡散部は、長手方向から見て、前記光透過部に向けて凸となる湾曲形状である
請求項１〜５のいずれか一項に記載の光源ユニット。
【請求項７】
前記光透過部はプリズム形状を有する
請求項１〜６のいずれか一項に記載の光源ユニット。
【請求項８】
請求項１〜７のいずれか一項に記載の光源ユニットと、
前記光源ユニットが取り付けられる器具本体と、を備える
照明器具。
【発明の詳細な説明】
【技術分野】
【０００１】
本発明は、光源ユニットおよび照明器具に関し、特に長尺状の光源ユニットおよび照明セットに関する。
【背景技術】
【０００２】
ＬＥＤ（Ｌｉｇｈｔ  Ｅｍｉｔｔｉｎｇ  Ｄｉｏｄｅ）を用いた長尺状の照明器具が知られている。具体的に、照明器具は、複数のＬＥＤが一方向に沿って配列された長尺状の光源ユニットを備えている（例えば特許文献１参照）。
【先行技術文献】
【特許文献】
【０００３】
【特許文献１】特開２０１４−２０７２４９号公報
【発明の概要】
【発明が解決しようとする課題】
【０００４】
ここで、ＬＥＤを用いた照明器具であると各ＬＥＤとその周囲の明るさとの差によってグレア（眩しさ）が生じてしまい、照明時にユーザーに違和感を与えてしまうおそれがある。また、照明器具としての照明効率を高めたいという要望もある。
【０００５】
本発明は、照明時にユーザーが覚える違和感を抑えつつも、照明効率を高めることのできる光源ユニットおよび照明器具を提供することを目的とする。
【課題を解決するための手段】
【０００６】
本発明の一態様に係る光源ユニットは、長尺状の光源ユニットであって、長尺状の基板と、基板の長手方向に沿って基板に実装された複数の光源と、複数の光源に対向し、複数の光源から発せられた光を拡散する長尺な光拡散部と、光拡散部を介して複数の光源に対向し、光拡散部で拡散された光を透過する長尺な光透過部と、光透過部を保持する保持部とを備え、保持部は、複数の光源の光軸を基板の短手方向で互い挟んだ状態で、光透過部を保持する一対の側壁部を備え、一対の側壁部のそれぞれは、光軸に向かって突出したくびれ部を有し、くびれ部のそれぞれは、第一傾斜部と、第一傾斜部における光源に遠い側の先端部に、光源に近い側の基端部が連結された第二傾斜部とを備え、第一傾斜部は、複数の光源から光軸方向で離れるに連れて光軸に近づくように傾斜しており、第二傾斜部は、複数の光源から光軸方向で離れるに連れて光軸から離れるように傾斜しており、第二傾斜部の面積は、前記第一傾斜部の面積よりも大きい。
【０００７】
本発明の他態様に係る照明器具は、上記の光源ユニットと、光源ユニットが取り付けられる器具本体と、を備える。
【発明の効果】
【０００８】
本発明によれば、照明時にユーザーが覚える違和感を抑えつつも、照明効率を高めることができる。
【図面の簡単な説明】
【０００９】
【図１】実施の形態に係る照明器具を示す斜視図である。
【図２】実施の形態に係る照明器具を示す分解斜視図である。
【図３】図２におけるIII−III線による光源ユニットの断面図である。
【図４】実施の形態に係るモジュールを示す平面図である。
【図５】実施の形態に係るカバー部の概略構成を示す断面図である。
【図６】実施の形態に係るカバー部の一部を取り除いて、カバー部の内部構造を示す斜視図である。
【図７】変形例に係るカバー部の一部を取り除いて、カバー部の内部構造を示す斜視図である。
【図８】変形例に係る凹部を示す斜視図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態の順序などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。
【００１１】
［全体構成］
以下、実施の形態に係る照明器具について説明する。図１は、実施の形態に係る照明器具を示す外観図である。図２は、実施の形態に係る照明器具の分解斜視図である。
【００１２】
図１および図２に示すように、照明器具１は、例えば天井直付型の長尺状の照明器具である。照明器具１は、器具本体２と、光源ユニット３とを備えている。
【００１３】
器具本体２は、吊りボルト（図示省略）等を用いて、例えば室内の天井に取り付けられる。器具本体２は、板金に折り曲げ加工を施すことにより、Ｙ軸方向に長尺かつ扁平な箱型形状に形成されている。器具本体２には、上下方向に連通した開口部２１が設けられており、この開口部２１に光源ユニット３が収納される。開口部２１は、Ｙ軸方向視で下方が広がるような形状となっている。開口部２１は、器具本体２の長手方向（Ｙ軸方向）における一端部から他端部にわたって長尺状に延びている。器具本体２は、反射効率を高めるために表面全体として白色に着色されている。これにより、光源ユニット３から照射された光を器具本体２が反射する。
【００１４】
［光源ユニット］
次に、光源ユニット３について説明する。
【００１５】
光源ユニット３は、器具本体２の開口部２１に対して着脱自在に取り付けられている。
【００１６】
図３は、図２におけるIII−III線による光源ユニット３の断面図である。
【００１７】
図３に示すように、光源ユニット３は、ベース部材４と、モジュール５と、カバー部６と、光透過部７とを備えている。
【００１８】
ベース部材４は、板金に折り曲げ加工を施すことにより、Ｙ軸方向に長尺状に形成されている。ベース部材４は、本体部４１および一対の取付部４２，４３を有している。本体部４１は、モジュール５を載置するものであり、Ｙ軸方向に長尺な矩形状に形成されている。一対の取付部４２，４３は、それぞれベース部材４を開口部２１に取り付けるためのものであり、本体部４１の短手方向（Ｘ軸方向）における両端部から略Ｌ字状に延びている。一対の取付部４２，４３の先端部４２１，４３１は、外側に向けて円弧状に曲げられている。なお、本体部４１と、一対の取付部４２，４３との境界部はそれぞれ段差状に形成されている。また、本体部４１には、モジュール５を本体部４１に固定するための複数の爪部４６が形成されている。複数の爪部４６は、本体部４１の短手方向の両端部において、本体部４１の長手方向に沿って間隔をあけて配置されている。
【００１９】
モジュール５は、基板５１と、基板５１上に実装された複数のＬＥＤ５２（光源）とを有している。
【００２０】
図４は実施の形態に係るモジュール５を示す平面図である。
【００２１】
図４に示すように、基板５１は、Ｙ軸方向に長尺な略矩形状に形成されている。基板５１は、例えばガラスエポキシ樹脂（ＣＥＭ−３）で形成されており、その表面にはプリント配線（図示せず）が設けられている。基板５１の側面のうちＹ軸方向に延びる一対の長辺にはそれぞれ、複数の爪部４６が個別に係合する複数の切り欠き部５３が形成されている。基板５１は、複数の爪部４６がそれぞれ対応する複数の切り欠き部５３に係合することにより、ベース部材４の本体部４１上に固定される。
【００２２】
複数のＬＥＤ５２は、基板５１上に実装されており、基板５１の長手方向に沿って一列に且つ間隔を置いて配置されている。このため、長手方向から見ると、各ＬＥＤ５２の光軸Ｃは同一直線に概ね重なることになる（図３参照）。複数のＬＥＤ５２の各々は、例えばＬＥＤチップ（図示せず）がパッケージ化されたＬＥＤ素子である。すなわち、基板５１の実装構造は、ＬＥＤチップがパッケージ化されたＬＥＤ素子を基板５１上に実装したＳＭＤ（Ｓｕｒｆａｃｅ  Ｍｏｕｎｔ  Ｄｅｖｉｃｅ）構造である。なお、複数のＬＥＤ５２が基板５１の長手方向に沿って一列配列された場合を例示したが、二列以上配列されていてもよい。
【００２３】
［カバー部］
次にカバー部６について説明する。
【００２４】
図５は、実施の形態に係るカバー部６の概略構成を示す断面図である。具体的には図５は、図３に対応した図である。なお、カバー部６は、全体が多色の押出成形（多色成形）によって一体成形されているため、図３では、カバー部６全体を同じハッチングで図示しているが、図５ではカバー部６の各部ごとに異なるハッチングで図示している。
【００２５】
図３および図５に示すように、カバー部６は、複数のＬＥＤ５２を光出射側から覆う部材であり、光透過部７を保持する保持部である。
【００２６】
カバー部６は、光拡散部８と、一対の側壁部６１，６２と、底部６７と、一対の連結部６８，６９とを備えている。
【００２７】
光拡散部８は、複数のＬＥＤ５２から発せられた光を拡散する光拡散部である。光拡散部８は、複数のＬＥＤ５２に対向するように、複数のＬＥＤ５２と光透過部７との間に配置されている。光拡散部８は、長手方向から見て、ＬＥＤ５２の光出射方向の前方に向けて凸となる湾曲形状に形成されている。光拡散部８の曲率を変更することで、短手方向（Ｘ軸方向）の配光制御が可能である。
【００２８】
一対の側壁部６１，６２のそれぞれは、ＬＥＤ５２の光軸Ｃに向かって突出したくびれ部６３，６４と、くびれ部６３，６４の先端から光軸Ｃに対して平行に延在した等幅部６５，６６とを備えている。なお、一対の側壁部６１，６２において、ＬＥＤ５２に近い側の一端部を基端部とし、ＬＥＤ５２に遠い側の他端部を先端部とする。
【００２９】
くびれ部６３，６４は、その内面が、ＬＥＤ５２からの光を少なくとも一部だけ反射する反射面となっている。具体的には、くびれ部６３，６４は、第一傾斜部６３１，６４１と、第二傾斜部６３２，６４２とを備えており、第一傾斜部６３１，６４１の先端部と、第二傾斜部６３２，６４２の基端部とが連結されている。この連結した部分が、くびれ部６３，６４における突出の頂点６３３，６４３である。
【００３０】
第一傾斜部６３１，６４１は、平板状であり、ＬＥＤ５２から光軸方向で離れるに連れて、光軸Ｃに近づくように傾斜している。つまり、第一傾斜部６３１，６４１の基端部は光軸Ｃから最も離れていて、第一傾斜部６３１，６４１の先端部は光軸Ｃに最も近い。このような傾斜であるので、第一傾斜部６３１，６４１の内面（反射面）は、ＬＥＤ５２からの光の少なくとも一部を、当該ＬＥＤ５２の光出射方向の後方に向けて反射する。
【００３１】
第二傾斜部６３２，６４２は、平板状であり、ＬＥＤ５２から光軸方向で離れるに連れて、光軸Ｃから遠ざかるように傾斜している。つまり、第二傾斜部６３２，６４２の基端部は光軸Ｃに最も近く、第二傾斜部６３２，６４２の先端部は光軸Ｃから最も遠い。このような傾斜であるので、第二傾斜部６３２，６４２の内面（反射面）は、ＬＥＤ５２から光の少なくとも一部を、当該ＬＥＤ５２の光出射方向の前方に向けて反射する。
【００３２】
そして、一対の側壁部６１，６２において、それぞれの頂点６３３，６４３は、一対の側壁部６１，６２における光軸Ｃに沿う長さＬ１の１／２の位置（Ｌ１／２）よりも、ＬＥＤ５２側に配置されている。これにより、第二傾斜部６３２，６４２の面積を第一傾斜部６３１，６４１よりも大きくすることができ、さらには第二傾斜部６３２，６４２の基端部をＬＥＤ５２に近づけることができる。
【００３３】
また、第二傾斜部６３２，６４２における先端部の内面には、光軸Ｃに向けて突出する突起６３４，６４４が設けられている。この突起６３４，６４４は、光透過部７の光軸方向への移動、具体的にはＺ軸方向マイナス側への移動を規制する部位である。
【００３４】
等幅部６５，６６は、光透過部７の短手方向の移動を規制する、ＹＺ平面に平行な平板状の部位である。一対の側壁部６１，６２における等幅部６５，６６の幅Ｈ１が、一対の側壁部６１，６２の先端部同士の幅である。この幅Ｈ１よりも、一対の側壁部６１，６２の基端振同士の幅Ｈ２の方が広くなっている。
【００３５】
底部６７は、一対の側壁部６１，６２における先端部同士に架け渡された、ＸＹ平面に平行な平板状の部位である。底部６７の上面には、光透過部７が載置されている。
【００３６】
一対の連結部６８，６９は、一対の側壁部６１，６２における基端部と、光拡散部８とを連結する部位である。具体的には、一対の連結部６８，６９は、平板部６８１，６９１と、平板部６８１，６９１の上面から立設した立設部６８２，６９２とを備える。平板部６８１，６９１は、ＸＹ平面に平行な平板状の部位であり、一対の側壁部６１，６２における第一傾斜部６３１，６４１の基端部と、光拡散部８の端部とを連結している。立設部６８２，６９２は、平板部６８１，６９１の上面から上方に向けて立設しており、その先端部が光軸Ｃ側に向けて曲げられている。この立設部６８２，６９２の先端部によって、ベース部材４における取付部４２，４３の先端部４２１，４３１が係止されている。これにより、ベース部材４と、カバー部６とが組み付けられている。
【００３７】
ここで、上述したように、カバー部６は、多色成形によって形成されている。このため、光拡散部８と、一対の側壁部６１，６２と、底部６７と、一対の連結部６８，６９とは、一体成形されているものの、これらを組成の異なる樹脂で形成することができる。
【００３８】
例えば、一対の側壁部６１，６２、光拡散部８、底部６７および一対の連結部６８，６９のうち、底部６７が最も光透過率が高く、一対の連結部６８，６９が最も光透過率が低くなるように、各部をなす樹脂を選択すればよい。
【００３９】
底部６７においては、光拡散部８によって拡散された光の輝度を極力低下させない程度の光透過率に設定される。具体的には底部６７の光透過率は９０％以上であればよい。底部６７をなす樹脂としては、例えば透明なアクリル樹脂またはポリカーボネート樹脂などが挙げられる。
【００４０】
連結部６８，６９においては、ＬＥＤ５２から照射された光のうち、連結部６８，６９に至った光を透過させることなく反射して光出射方向の前方に向けることが望まれる。このため、連結部６８，６９の光透過率は０％であることがよい。連結部６８，６９をなす樹脂としては、例えば白色のアクリル樹脂またはポリカーボネート樹脂などが挙げられる。
【００４１】
光拡散部８においては、底部６７よりも低くて、連結部６８，６９よりも高い透過率に設定される。つまり、光拡散部８の透過率は、０％よりも大きく、９０％未満の範囲に収まればよい。光拡散部８をなす樹脂としては、例えば、乳白なアクリル樹脂またはポリカーボネート樹脂などが挙げられる。
【００４２】
一対の側壁部６１，６２においては、底部６７よりも低くて、連結部６８，６９よりも高い透過率に設定される。つまり、側壁部６１，６２の透過率は、０％よりも大きく、９０％未満の範囲に収まればよい。側壁部６１，６２をなす樹脂としては、例えば、乳白なアクリル樹脂またはポリカーボネート樹脂などが挙げられる。このような透過率であるので、側壁部６１，６２は、光拡散部８が拡散した光の一部を内面で反射するとともに、残りの光を透過する。これにより、カバー部６全体が発光することになる。
【００４３】
本実施の形態では、光拡散部８と、一対の側壁部６１，６２とは同じ組成の樹脂により形成されていることとする。すなわち、光拡散部８と、一対の側壁部６１，６２とは同じ透過率である。これにより、カバー部６全体が、三種の樹脂により形成されるので、光拡散部８と、一対の側壁部６１，６２と、底部６７と、一対の連結部６８，６９とを全て異なる組成の樹脂により形成する場合と比べても、多色成形を容易に行うことができる。なお、光拡散部８と、側壁部６１，６２とは光透過率が同じでなくともよい。
【００４４】
光透過部７は、光拡散部８を介して複数のＬＥＤ５２に対向し、光拡散部８で拡散された光を透過する長尺な光学部材である。具体的には、光透過部７は、カバー部６における底部６７と、突起６３４，６４４との間に配置されて、底部６７の上面に載置されている。また、光透過部７は、光拡散部８よりも透過率の高い材料によって形成されている。光透過部７は例えば透明なアクリル樹脂又はポリカーボネート樹脂などから形成された略平板状のリニアフレネルレンズである。
【００４５】
図６は、実施の形態に係るカバー部６の一部を取り除いて、カバー部６の内部構造を示す斜視図であり、光透過部７の下面の形状を示している。
【００４６】
図６に示すように、光透過部７の下面がレンズ面７１となっており、このレンズ面７１には、複数の溝７２からなるプリズム形状が設けられている。複数の溝７２は、Ｙ軸方向に配列され、Ｘ軸方向に沿って延在している。この光透過部７のプリズム形状を調整することにより、Ｙ軸方向の配光制御を容易に行うことができる。
【００４７】
［照明器具の動作］
次に、照明器具１の動作について説明する。
【００４８】
ＬＥＤ５２から照射された光は光拡散部８に到達して拡散され、カバー部６の内部に進入する。ここで、長手方向から見て光拡散部８が光透過部７に向けて凸となる湾曲形状に形成されているので、当該光拡散部８を透過する光は、Ｘ軸方向の配光が制御される。
【００４９】
カバー部６内において、くびれ部６３，６４の第一傾斜部６３１，６４１に到達した光の一部は、第一傾斜部６３１，６４１を透過してカバー部６の外方に放出される。くびれ部６３，６４の第一傾斜部６３１，６４１に到達したその他の光は、第一傾斜部６３１，６４１の内面で反射されて、再度カバー部６内を進行する。
【００５０】
また、カバー部６内において、くびれ部６３，６４の第二傾斜部６３２，６４２に到達した光の一部は、第二傾斜部６３２，６４２を透過してカバー部６の外方に放出される。くびれ部６３，６４の第二傾斜部６３２，６４２に到達したその他の光は、そのほとんどが、第二傾斜部６３２，６４２の内面で反射されて、光透過部７に向かう。
【００５１】
また、カバー部６内において、一対の連結部６８，６９に到達した光は、一対の連結部６８，６９で反射されて、カバー部６内を進行する。
【００５２】
そして、カバー部６内において、光透過部７に到達した光は、光透過部７及び底部６７を透過して、底部６７からカバー部６の外方へと放出される。光透過部７を透過する光は、当該光透過部７によってＹ軸方向の配光が制御される。
【００５３】
［効果等］
以上説明したように、本実施の形態に係る光源ユニット３は、一対の側壁部６１，６２のそれぞれが、光軸Ｃに向かって突出したくびれ部６３，６４を備えているので、くびれ部６３，６４における第二傾斜部６３２，６４２の内面が光出射方向の前方を向く。これにより、ＬＥＤ５２から照射された光を第二傾斜部６３２，６４２の内面で反射させることで、当該光を光出射方向の前方へと導くことができる。したがって、少ない反射回数で光を光出射方向の前方に集光することができ、照明効率を高めることができる。
【００５４】
また、複数のＬＥＤ５２に対向するように、光拡散部８が設けられているので、光拡散部８を透過する光を拡散させることができる。したがって、グレアを抑制することができる。
【００５５】
さらに、光透過部７が光拡散部８を介してＬＥＤ５２に対向するように設けられているので、光透過部７によっても配光を制御することができる。
【００５６】
これらのことにより、グレアを低減させつつも、照明効率を高めることができる。
【００５７】
そして、一対の側壁部６１，６２にくびれ部６３，６４が設けられていることによって、平板状の側壁部と比べても、カバー部６全体の強度を高めることができる。
【００５８】
また、くびれ部６３，６４における突出の頂点６３３，６４３が、一対の側壁部６１，６２における光軸Ｃに沿う長さの１／２の位置よりも、ＬＥＤ５２側に配置されているので、第二傾斜部６３２，６４２の面積を第一傾斜部６３１，６４１よりも大きくすることができ、さらには第二傾斜部６３２，６４２の基端部をＬＥＤ５２に近づけることができる。
【００５９】
また、一対の側壁部６１，６２、光拡散部８、底部６７および一対の連結部６８，６９が、一体成形されているので、部品点数を削減することができる。また、一対の側壁部６１，６２の先端部同士の間にはこれらに連続して底部６７が設けられている。また、一対の側壁部６１，６２の基端部同士の間には、これらに連続して、一対の連結部６８，６９と光拡散部８が設けられている。つまり、長手方向から見ると、カバー部６は連続した環状体であるので、カバー部６全体の形状安定化を図ることができる。
【００６０】
また、一対の側壁部６１，６２、光拡散部８、底部６７および一対の連結部６８，６９のうち、底部６７が最も光透過率が高く、一対の連結部６８，６９が最も光透過率が低いので、底部６７だけでなく一対の側壁部６１，６２からも光を放出させることができる。一対の側壁部６１，６２を透過した光は、器具本体２の開口部２１内を照らすことになるので、開口部２１と一体性を持った印象を与えることができる。
【００６１】
また、一対の側壁部６１，６２における基端部同士の幅Ｈ２が、一対の側壁部６１，６２における先端部同士の幅Ｈ１よりも広いので、第一傾斜部６３１，６４１の先端部が、第二傾斜部６３２，６４２の先端部よりも外側に配置されることになる。第二傾斜部６３２，６４２を透過して外部へ放出された光は、概ね上方（光出射方向の後方）に向かうことになるが、第一傾斜部６３１，６４１を透過して外部へと放出された光は、概ね下方（光出射方向の前方）に向かうことになる。つまり、光出射方向の前方へと向かう光が、後方へと向かう光を囲むことになるので、光源ユニット３全体が発光した印象をユーザーに与えることができる。
【００６２】
また、光透過部７が光拡散部８よりも透過率が高いので、光拡散部８により拡散された光であっても容易に配光制御することができる。
【００６３】
また、光拡散部８が、長手方向から見て光透過部７に向けて凸となる湾曲形状であるので、光拡散部８によっても短手方向に対する配光を制御することができる。
【００６４】
また、光透過部７がプリズム形状であるので、光透過部７のプリズム形状を調整することで光透過部７を透過する光の配光制御を行うことができる。
【００６５】
［変形例］
以上、実施の形態に係る照明器具について説明したが、本発明は、上記実施の形態に限定されるものではない。なお、以下の説明において、上記実施の形態と同一の部分については同一の符号を付してその説明を省略する場合がある。
【００６６】
上記実施の形態では、複数の溝７２からなるプリズム形状を光透過部７が有している場合を例示して説明したが、この変形例の光透過部７Ａは、マトリクス状に配置された凹部からなるプリズム形状を有する場合について説明する。
【００６７】
図７は、変形例に係るカバー部６Ａの一部を取り除いて、カバー部６Ａの内部構造を示す斜視図であり、光透過部７Ａの下面の形状を示している。
【００６８】
図７に示すように、光透過部７Ａの下面がレンズ面７１Ａとなっており、このレンズ面７１Ａには、マトリクス状に配置された複数の凹部７３からなるプリズム形状が設けられている。複数の凹部７３は、長手方向および短手方向に密接して配置されている。
【００６９】
図８は、変形例に係る凹部７３を示す斜視図である。
【００７０】
図８に示すように凹部７３は、四角錐状の凹部である。この凹部７３をなす各面７３１によって光を屈折させて、長手方向および短手方向の配光を制御するようになっている。なお凹部７３は平面視で正方形状であるが、凹部７３の平面形状はこれに限定されず、他の四角形状、四角形以外の多角形状であってよい。五角形以上の多角形である場合には、より多方向への配光制御が可能である。また、この変形例では、複数の凹部７３からなるプリズム形状を例示して説明したが、複数の凸部からなるプリズム形状であってもよい。
【００７１】
［その他の実施の形態］
また、上記実施の形態および変形例では、くびれ部６３，６４が屈曲している場合を例示して説明したが、湾曲することによりくびれたくびれ部であってもよい。
【００７２】
また、上記実施の形態では、一対の側壁部６１，６２が光を透過する場合を例示して説明したが、反射を重視するのであれば、一対の側壁部６１，６２の透過率を０％にしてもよい。
【００７３】
また、上記実施の形態及び変形例では、カバー部６の全体が樹脂の多色成形によって一体成形された場合を例示して説明したが、例えば金属部品を樹脂にインサート成形することによってカバー部を一体成形してもよい。この場合、光透過率がゼロであってもよい部位（例えば一対の連結部、一対の側壁部）を金属部品にすることができる。
【００７４】
また、上記実施の形態では、底部６７を有するカバー部６を例示したが、底部がないカバー部６であってもよい。この場合、光透過部７を透過した光は直接カバー部６外に放出されるので、輝度の低下を抑制することができる。
【００７５】
また、上記実施の形態では、光拡散部８が一対の連結部６８，６９、一対の側壁部６１，６２及び底部６７とともに一体成形されている場合を例示して説明したが、光拡散部８は一体成形されていなくてもよい。この場合、多色の押出成形で光拡散部８を形成しなくてもよくなるので、光拡散部８の設計の自由度を高めることができる。したがって、プリズム形状を有する光拡散部８とすることが可能となり、光拡散部８によっても多方向の配向制御も可能となる。
【００７６】
さらに、上記実施の形態および上記変形例をそれぞれ組み合わせてもよい。
【符号の説明】
【００７７】
１  照明器具
２  器具本体
３  光源ユニット
４  ベース部材
５  モジュール
６，６Ａ  カバー部（保持部）
７，７Ａ  光透過部
８  光拡散部
２１  開口部
４１  本体部
４２，４３  取付部
４６  爪部
５１  基板
５２  ＬＥＤ（光源）
５３  切欠き部
６１，６２  側壁部
６３，６４  くびれ部
６５，６６  等幅部
６７  底部
６８，６９  連結部
７１，７１Ａ  レンズ面
７２  溝
７３  凹部
４２１，４３１  先端部
６３１，６４１  第一傾斜部
６３２，６４２  第二傾斜部
６３３，６４３  頂点
６３４，６４４  突起
６８１，６９１  平板部
６８２，６９２  立設部
７３１  面
Ｃ  光軸
【図１】
0006655830.tif 000002
【図２】
0006655830.tif 000003
【図３】
0006655830.tif 000004
【図４】
0006655830.tif 000005
【図５】
0006655830.tif 000006
【図６】
0006655830.tif 000007
【図７】
0006655830.tif 000008
【図８】
0006655830.tif 000009